(57)【特許請求の範囲】
【請求項１】
複数枚のシートが、その一辺が綴じ部となって接着により綴じられ、前記綴じ部を中心として見開かれることで開封される開封冊子であって、
前記複数枚のシートのうち、未開封の状態にて表出する２枚のシートのうち一方のシートが、
前記２枚のシートのうち他方のシートに、前記綴じ部以外の３周辺にて接着された貼着部と、
カット部とタイ部とからなり、前記貼着部に沿って形成されて前記綴じ部との接合部をそれぞれ終端部とする１本の分離線とを有し、
前記カット部のうち前記終端部の一方を構成するカット部は、当該カット部の両端のうち前記接合部に近い方の端部が、当該カット部の両端のうち前記接合部から遠い方の端部が向かう方向に対して、当該カット部を基準として前記貼着部とは反対側にて９０度以下の方向を向いた方向規制カット部である、開封冊子。
【請求項２】
複数枚のシートが、その一辺が綴じ部となって接着により綴じられるとともに、前記複数枚のシートのうち少なくとも２枚のシートが剥離片と被剥離片とになって前記綴じ部以外の領域の少なくとも一部が剥離可能に接着されて構成され、前記綴じ部を中心として見開かれることで開封される開封冊子であって、
前記剥離片となるシートは、前記綴じ部以外の領域を見開き部とし、該見開き部が前記被剥離片となるシートから剥離されて前記綴じ部を中心として見開き可能に構成され、前記見開き部と前記綴じ部との境界に、当該剥離片となるシートの端辺のうち当該境界を構成する境界線に交差する一端辺から延び、その端部が、当該一端辺の前記一辺から離れる方向に対して９０度以下の方向を向いた方向規制カット部を有する開封冊子。
【請求項３】
請求項１または請求項２に記載の開封冊子において、
前記方向規制カット部は、丸みを帯びた形状である、開封冊子。
【請求項４】
請求項１乃至３のいずれか１項に記載の開封冊子において、
前記方向規制カット部は、前記端部が、前記一辺が延びる方向に直交する方向に向いている、開封冊子。
【発明の詳細な説明】
【技術分野】
【０００１】
本発明は、複数枚のシートが、その一辺が綴じ部となって接着により綴じられ、綴じ部を中心として見開かれる開封冊子に関し、特に、開封時におけるシートの不要な破断を回避する技術に関する。
【背景技術】
【０００２】
従来、カタログやパンフレット等の冊子においては、複数枚のシートが重ね合わされ、その一辺にて接着により綴じられることにより、見開き可能な形態となっている。このような冊子においては、２枚の表紙の間に複数枚のシートが挟み込まれて構成されたものや、２枚のシートのみから構成されたものがあり、いずれのものにおいても、冊子を構成する複数枚のシートがその一辺にて接着により綴じられている。
【０００３】
例えば、特許文献１には、一対の表紙間に複数枚の冊子中紙片を挟み込み、一方の表紙に形成されたミシン目を破断することで、見開き可能とする冊子状印刷物が開示されている。また、特許文献２には、２枚のシートがその周辺部にて接着されるとともに、接着された糊代の内側に切り込みが形成され、この切り込みを破断していくことにより開封される籤が開示されている。
【０００４】
このように、複数枚のシートを重ね合わせた構成において、表出するシートにミシン目等の切り込み線を形成しておき、この切り込み線を破断していくことで、開封可能とした開封冊子が考えられている。
【０００５】
図１１は、従来の開封冊子の一例を示す図であり、（ａ）は表面図、（ｂ）は（ａ）に示したＡ−Ａ’断面図、（ｃ）は開封された状態を示す図である。
【０００６】
本例における開封冊子は図１１に示すように、表面シート２１０と裏面シート２２０との間に、表面シート２１０及び裏面シート２２０よりも小さな形状の３枚の中間シート２３０ａ〜２３０ｃが挟み込まれ、これら表面シート２１０、裏面シート２２０及び中間シート２３０ａ〜２３０ｃが、その一辺が綴じ部２０２となって接着剤２４１を用いた接着により綴じられて構成されている。また、表面シート２１０と裏面シート２２０とは、綴じ部２０２以外の３周辺にて接着剤２４２によって接着されている。
【０００７】
表面シート２１０は、綴じ部２０２に沿ってミシン目２１４が形成されるとともに、接着剤２４２によって裏面シート２２０と接着された領域に沿ってミシン目２１３が形成されている。そして、ミシン目２１３の外側が、裏面シート２２０に接着された貼着部２１１となり、ミシン目２１３の内側が、綴じ部２０２を中心として見開かれる見開き部２１２となっている。また、表面シート２１０には、見開き部２１２の１つの角部が開封開始部２１５となり、開封冊子２０１の開封開始を指示する情報が表示されている。
【０００８】
上記のように構成された開封冊子２０１においては、開封開始部２１５からミシン目２１３を破断していき、ミシン目２１４を折り部として用いて綴じ部２０２を中心に見開き部２１２を見開くことによって開封され、中間シート２３０ａ〜２３０ｃに表示された情報が閲覧可能となる。
【先行技術文献】
【特許文献】
【０００９】
【特許文献１】特許第５５１５４１２号公報
【特許文献２】特開２００４−２５５３６号公報
【発明の概要】
【発明が解決しようとする課題】
【００１０】
図１２は、図１１に示した開封冊子２０１が開封されていく様子を示す図である。
【００１１】
図１１に示した開封冊子２０１は、図１２（ａ）に示すように、開封開始部２１５からミシン目２１３を破断していき、ミシン目２１４を折り部として用いて綴じ部２０２を中心に見開き部２１２を見開くことによって開封される。
【００１２】
ミシン目２１３が破断していき、見開き部２１２と貼着部２１１との分離領域がミシン目２１３の終端部に達すると、図１２（ｂ）に示すように、表面シート２１０を破断しようとする力がそのまま引き続きミシン目２１３が延びる図中Ａの方向に働く。
【００１３】
そのため、図１２（ｃ）に示すように、表面シート２１０が、ミシン目２１３の終端部からミシン目２１３の延長線上に裂けていき、本来破断させるべきではない綴じ部２０２まで破断してしまう虞れがある。
【００１４】
このように、複数枚のシートが、その一辺が綴じ部となって接着により綴じられ、綴じ部を中心として見開かれる開封冊子においては、見開かれる際にミシン目等の分離線を破断していく等の外力が加わる場合、綴じ部にて本来破断させるべきではない部分まで破断してしまう虞れがある。
【００１５】
本発明は、上述したような従来の技術が有する問題点に鑑みてなされたものであって、複数枚のシートが、その一辺が綴じ部となって接着により綴じられ、綴じ部を中心として見開かれる開封冊子において、見開かれる際に外力が加わる場合に、綴じ部にて本来破断させるべきではない部分を破断されにくくすることができる開封冊子を提供することを目的とする。
【課題を解決するための手段】
【００１６】
上記目的を達成するために本発明は、
複数枚のシートが、その一辺が綴じ部となって接着により綴じられ、前記綴じ部を中心として見開かれることで開封される開封冊子であって、
前記複数枚のシートのうち、未開封の状態にて表出する２枚のシートのうち一方のシートが、
前記２枚のシートのうち他方のシートに、前記綴じ部以外の３周辺にて接着された貼着部と、
カット部とタイ部とからなり、前記貼着部に沿って形成されて前記綴じ部との接合部をそれぞれ終端部とする１本の分離線とを有し、
前記カット部のうち前記終端部の一方を構成するカット部は、当該カット部の両端のうち前記接合部に近い方の端部が、当該カット部の両端のうち前記接合部から遠い方の端部が向かう方向に対して、当該カット部を基準として前記貼着部とは反対側にて９０度以下の方向を向いた方向規制カット部である。
【００１７】
上記のように構成された本発明においては、未開封の状態にて表出する２枚のシートのうち一方のシートに形成された分離線を破断していくことにより、当該シートの貼着部が他方のシートに接着されたまま、貼着部以外の領域が貼着部から分離されることで、綴じ部を中心として見開かれていくことになる。分離線は、綴じ部との接合部がそれぞれ終端部となっているが、分離線を構成するカット部のうち終端部の一方を構成するカット部は、綴じ部との接合部側の端部が、綴じ部との接合部とは反対側の端部が向かう方向に対して、貼着部とは反対側にて９０度以下の方向を向いた方向規制カット部となっているので、シートを見開いていくために分離線が破断された領域がその終端部に達すると、分離線を破断しようとする力がシートを見開いていく方向に引き続き加わっていたとしても、その力が、シートを見開いていく方向とは異なる方向に分散され、綴じ部にて本来破断させるべきではない部分が破断されにくくなる。
【００１８】
また、複数枚のシートが、その一辺が綴じ部となって接着により綴じられるとともに、前記複数枚のシートのうち少なくとも２枚のシートが剥離片と被剥離片とになって前記綴じ部以外の領域の少なくとも一部が剥離可能に接着されて構成され、前記綴じ部を中心として見開かれることで開封される開封冊子であって、
前記剥離片となるシートは、前記綴じ部以外の領域を見開き部とし、該見開き部が前記被剥離片となるシートから剥離されて前記綴じ部を中心として見開き可能に構成され、前記見開き部と前記綴じ部との境界に、当該剥離片となるシートの端辺のうち当該境界を構成する境界線に交差する一端辺から延び、その端部が、当該一端辺の前記一辺から離れる方向に対して９０度以下の方向を向いた方向規制カット部を有する。
【００１９】
上記のように構成された本発明においては、剥離可能に接着された２枚のシートが剥離片と被剥離片とになって剥離されていくことにより、綴じ部を中心として見開かれていくことになる。その際、剥離片となるシートは、被剥離片となるシートから剥離される見開き部と綴じ部との境界に、剥離片となるシートの境界に交差する一端辺から延び、その端部が、その一端辺の綴じ部となる一辺から離れる方向に対して９０度以下の方向を向いた方向規制カット部を有するので、剥離片となるシートが被剥離片となるシートから剥離された領域が、剥離片の見開き部と綴じ部との境界に達すると、シートを見開いていくために剥離片となるシートを被剥離片となるシートから剥離しようとする力が、シートを見開いていく方向に引き続き加わっていたとしても、その力が、シートを見開いていく方向とは異なる方向に分散され、綴じ部にて本来破断させるべきではない部分が破断されにくくなる。
【００２０】
また、方向規制カット部が丸みを帯びた形状であれば、方向規制カット部を形成する際に、方向規制カット部を形成するための破断力が方向規制カット部全体に均一に加わり、形成ムラが発生しにくくなるとともに、シートを見開いた後において、分離線を破断したりシートを剥離したりしようとする力が、方向規制カット部の端部に向かいやすくなる。
【００２１】
また、方向規制カット部の端部が、綴じ部が延びる方向に直交する方向に向いていれば、シートを見開いた後において、分離線を破断したりシートを剥離したりしようとする力が、綴じ部とは反対方向に向かうこととなり、綴じ部にて本来破断させるべきではない部分がさらに破断しにくくなる。
【発明の効果】
【００２２】
本発明によれば、シートを見開いていくために分離線が破断された領域が、方向規制カット部を有する終端部に達すると、分離線を破断しようとする力がシートを見開いていく方向に引き続き加わっていたとしても、その力が、シートを見開いていく方向とは異なる方向に分散されることにより、綴じ部にて本来破断させるべきではない部分を破断されにくくすることができる。
【００２３】
また、剥離片となるシートが被剥離片となるシートから剥離された領域が、剥離片の見開き部と綴じ部との境界に達すると、シートを見開いていくために剥離片となるシートを被剥離片となるシートから剥離しようとする力がシートを見開いていく方向に引き続き加わっていたとしても、その力が、シートを見開いていく方向とは異なる方向に分散されることにより、綴じ部にて本来破断させるべきではない部分を破断しにくくすることができる。
【００２４】
また、方向規制カット部が丸みを帯びた形状であるものにおいては、方向規制カット部を形成する際に、方向規制カット部を形成するための破断力が方向規制カット部全体に均一に加わり、形成ムラを発生しにくくすることができるとともに、シートを見開いた後において、分離線を破断したりシートを剥離したりしようとする力を、方向規制カット部の端部に向かいやすくさせることができる。
【００２５】
また、方向規制カット部の端部が、綴じ部が延びる方向に直交する方向に向いているものにおいては、シートを見開いた後において、分離線を破断したりシートを剥離したりしようとする力が、綴じ部とは反対方向に向かうこととなり、綴じ部にて本来破断させるべきではない部分がさらに破断しにくくなる。
【図面の簡単な説明】
【００２６】
【図１】本発明に開封冊子の第１の実施の形態を示す図であり、（ａ）は表面図、（ｂ）は（ａ）に示したＡ−Ａ’断面図、（ｃ）は開封された状態を示す図である。
【図２】図１に示した開封冊子の積層構造を示す図である。
【図３】図１及び図２に示した開封冊子におけるミシン目と綴じ部との関係を説明するための図である。
【図４】図１及び図２に示した開封冊子の使用方法を説明するための図である。
【図５】図１及び図２に示した開封冊子におけるＵ字カット部による効果を説明するための図である。
【図６】方向規制カット部の他の構成例を示す図である。
【図７】本発明に開封冊子の第２の実施の形態を示す図であり、（ａ）は表面図、（ｂ）は（ａ）に示したＡ−Ａ’断面図、（ｃ）は開封された状態を示す図である。
【図８】図７に示した開封冊子の積層構造を示す図である。
【図９】図７及び図８に示した開封冊子の使用方法を説明するための図である。
【図１０】図７及び図８に示した開封冊子におけるＵ字カット部による効果を説明するための図である。
【図１１】従来の開封冊子の一例を示す図であり、（ａ）は表面図、（ｂ）は（ａ）に示したＡ−Ａ’断面図、（ｃ）は開封された状態を示す図である。
【図１２】図１１に示した開封冊子が開封されていく様子を示す図である。
【発明を実施するための形態】
【００２７】
以下に、本発明の実施の形態について図面を参照して説明する。
【００２８】
（第１の実施の形態）
図１は、本発明に開封冊子の第１の実施の形態を示す図であり、（ａ）は表面図、（ｂ）は（ａ）に示したＡ−Ａ’断面図、（ｃ）は開封された状態を示す図である。図２は、図１に示した開封冊子１の積層構造を示す図である。
【００２９】
本形態における開封冊子は図１に示すように、表面シート１０と裏面シート２０との間に、３枚の中間シート３０ａ〜３０ｃが挟み込まれ、これら表面シート１０、裏面シート２０及び中間シート３０ａ〜３０ｃが、その一辺が綴じ部２となって接着剤４１を用いて接着により綴じられて構成されている。また、未開封の状態にて表出する表面シート１０と裏面シート２０とは、綴じ部２以外の３周辺にて接着剤４２によって接着されている。
【００３０】
表面シート１０と裏面シート２０とは、同一形状を有しており、４辺が重なるように重ね合わされ、それにより、それぞれの一辺が綴じ部２となり、綴じ部２以外のそれぞれの３周辺が接着剤４２によって接着されている。
【００３１】
表面シート１０は、綴じ部２に沿ってミシン目１４が形成されるとともに、接着剤４２によって裏面シート２０と接着された領域に沿って分離線となるミシン目１３がコの字状に形成されている。ミシン目１３は、カット部１３ａとタイ部１３ｂとが交互に並んだ構成となっている。そして、ミシン目１３の外側が、裏面シート２０に接着された貼着部１１となり、ミシン目１３の内側が、綴じ部２を中心として見開かれる見開き部１２となっている。また、表面シート１０には、見開き部１２の綴じ部２とは反対側の１つの角部が開封開始部１５となり、開封冊子１の開封開始を指示する情報が表示されている。
【００３２】
中間シート３０ａ〜３０ｃは、互いに同一の形状を有しており、表面シート１０と裏面シート２０との間に、表面シート１０及び裏面シート２０と綴じ部２を共通とするように挟み込まれた場合に、見開き部１２のみに対向し、貼着部１１には対向しない大きさ及び形状を有している。それにより、中間シート３０ａ〜３０ｃは、綴じ部２にて接着剤４１によってのみ他の中間シートや表面シート１０、裏面シート２０と接着されており、接着剤４２によっては表面シート１０や裏面シート２０と接着されていない。また、それにより、表面シート１０と裏面シート２０とは、その間に中間シート３０ａ〜３０ｃは介在するものの、貼着部１１にて接着剤４２によって互いに直接接着されている。
【００３３】
ここで、上記のように構成された開封冊子１におけるミシン目１３と綴じ部２との関係について詳細に説明する。
【００３４】
図３は、図１及び図２に示した開封冊子１におけるミシン目１３と綴じ部２との関係を説明するための図であり、（ａ）はＵ字カット部１３ｃが採用されていない形態でのミシン目１３と綴じ部２との関係の概略を示す全体図、（ｂ）は（ａ）に示した接合部３におけるカット部の構成を示す図、（ｃ）はＵ字カット部１３ｃが採用された形態での接合部３の構成を示す図である。
【００３５】
図３（ａ）に示すように、ミシン目１３は、表面シート１０において接着剤４２によって裏面シート２０と接着された３周辺に沿って形成されており、綴じ部２との接合部３をそれぞれ終端部している。
【００３６】
そして、図３（ｂ）に示すように、ミシン目１３を構成するカット部１３ａには、接合部３側の端部１６ａと、接合部３とは反対側の端部１６ｂとが存在している。
【００３７】
このように綴じ部２との関係を有して形成されたミシン目１３は、図１及び図２に示した開封冊子１においては、図３（ｃ）に示すように、終端部を構成するカット部が、ミシン目１３の破断方向を規制するための方向規制カット部となっており、その形状はＵ字状のＵ字カット部１３ｃとなっている。この方向規制カット部は、見開き部１２が表面シート１０から分離される際に切り離される分離線の、最後のカット部の形状を変化させることにより形成されている。Ｕ字カット部１３ｃは、綴じ部２とは反対側から綴じ部２に向かって延びてきて、丸みを帯びて綴じ部２とは反対側に戻り、綴じ部２との接合部３側の端部１６ａが綴じ部２とは反対側に向いている。すなわち、Ｕ字カット部１３ｃは、綴じ部２との接合部３側の端部１６ａが、綴じ部２から離れる方向において、表面シート１０、裏面シート２０及び中間シート３０ａ〜３０ｃの綴じ部２となる一辺が延びる方向に直交する方向に向いている。これにより、Ｕ字カット部１３ｃは、綴じ部２との接合部３側の端部１６ａが向かう方向が、綴じ部２との接合部３とは反対側の端部１６ｂが向かう方向に対して、貼着部１１とは反対側にて９０度以下となっている。なお、ミシン目１４は、見開き部１２を見開いた際に折り目をつけるために設けられているが、ミシン目１４の代わりに筋押し等の折り線を用いてもよい。
【００３８】
以下に、上記のように構成された開封冊子１の使用方法について説明する。
【００３９】
図４は、図１及び図２に示した開封冊子１の使用方法を説明するための図である。
【００４０】
図１及び図２に示した開封冊子１を開封する場合は、図４（ａ）に示すように、開封開始部１５を上方に引き上げたり見開き部１２の対角方向に引っ張ったりすることにより、開封開始部１５からミシン目１３を破断していく。ミシン目１３は、カット部１３ａとタイ部１３ｂとが交互に並んだ構成となっているため、タイ部１３ｂを破断してカット部１３ａを繋がらせることで破断されていく。この際、表面シート１０の貼着部１１は裏面シート２０に接着されたままの状態となる一方、見開き部１２が見開かれていくことにより、見開き部１２が貼着部１１から分離していく。
【００４１】
そして、ミシン目１３が全て破断され、見開き部１２と貼着部１１との分離領域がミシン目１３の終端部に達すると、図４（ｂ）に示すように、ミシン目１４を折り部として用いて綴じ部２を中心に見開き部１２が完全に見開かれることによって開封され、中間シート３０ａの表面シート１０との対向面に表示された情報が閲覧可能となる。またその際、表面シート１０の中間シート３０ａとの対向面に表示された情報も閲覧可能となる。
【００４２】
また、中間シート３０ａ〜３０ｃは、綴じ部２にて接着剤４１によってのみ互いに接着されているため、図４（ｃ）に示すように、表面シート１０を見開いた後、綴じ部２を中心として中間シート３０ａを見開くことで、中間シート３０ａの中間シート３０ｂとの対向面や、中間シート３０ｂの中間シート３０ａとの対向面に表示された情報が閲覧可能となる。また、綴じ部２を中心として中間シート３０ａ，３０ｂを見開くことで、中間シート３０ｂの中間シート３０ｃとの対向面や、中間シート３０ｃの中間シート３０ｂとの対向面に表示された情報が閲覧可能となる。さらに、綴じ部２を中心として中間シート３０ａ〜３０ｃを見開くことで、中間シート３０ｃの裏面シート２０との対向面や裏面シート２０の中間シート３０ｃとの対向面に表示された情報が閲覧可能となる。
【００４３】
ここで、Ｕ字カット部１３ｃによる効果について説明する。
【００４４】
図５は、図１及び図２に示した開封冊子１におけるＵ字カット部１３ａによる効果を説明するための図である。
【００４５】
図１及び図２に示した開封冊子１を開封する場合は、上述したように、開封開始部１５からミシン目１３を破断していき、図５（ａ）に示すように、ミシン目１４を折り部として用いて綴じ部２を中心に見開き部１２を見開いていく。
【００４６】
ミシン目１３が破断していき、見開き部１２と貼着部１１との分離領域が、綴じ部２との接合部においてミシン目１３の終端部にそれぞれ達すると、ミシン目１３を構成するカット部１３ａのうちミシン目１３の開封開始部１５を含む直線上の終端部を構成するカット部が、綴じ部２とは反対側から綴じ部２に向かって延びてきて、丸みを帯びて綴じ部２とは反対側に戻り、綴じ部２との接合部側の端部１６ａが綴じ部２とは反対側に向いているＵ字状のＵ字カット部１３ｃとなっていることにより、図５（ｂ）に示すように、ミシン目１３を破断しようとする力が表面シート１０を見開いていく方向に引き続き加わっていたとしても、表面シート１０を見開いていく方向とは反対側の図中Ａ方向に分散されることになる。
【００４７】
これにより、図５（ｃ）に示すように、綴じ部２にて本来破断させるべきではない部分を破断されにくくすることができる。
【００４８】
なお、本形態においては、ミシン目１３の２つの終端部のうち、ミシン目１３の開封開始部１５を含む直線上の終端部を構成するカット部のみがＵ字カット部１３ｃとなっている。これは、開封開始部１５からミシン目１３を破断していくことで見開き部１２を見開いていった場合、見開き部１２と貼着部１１との分離領域が、ミシン目１３の２つの終端部のうち、ミシン目１３の開封開始部１５を含む直線上の終端部に先に達することにより、その終端部を構成するカット部の綴じ部２との接合部側の端部に、ミシン目１３を破断しようとする力が加わるためである。逆に言えば、開封開始部１５は、ミシン目１３のＵ字カット部１３ｃを含む直線上の角部に設定すればよいことになる。
【００４９】
また、本形態においては、方向規制カット部として、綴じ部２とは反対側から綴じ部２に向かって延びてきて、丸みを帯びて綴じ部２とは反対側に戻り、綴じ部２との接合部側の端部が綴じ部２とは反対側に向いているＵ字状のＵ字カット部１３ｃを例に挙げて説明したが、方向規制カット部としては、綴じ部２との接合部側の端部が、接合部とは反対側の端部が向かう方向に対して、貼着部１１とは反対側にて９０度以下の方向を向いたものであればよい。
【００５０】
図６は、方向規制カット部の他の構成例を示す図である。
【００５１】
方向規制カット部としては、図６（ａ）に示すように、綴じ部３０２とは反対側から綴じ部３０２に向かって延びてきて、弧を描いてミシン目３１４に繋がるものであってもよい。
【００５２】
また、図６（ｂ）に示すように、綴じ部２とは反対側から綴じ部２に向かって延びてきて、丸みを帯びずに綴じ部４０２とは反対側に戻り、綴じ部４０２との接合部側の端部が綴じ部４０２とは反対側に向いているものであってもよい。
【００５３】
さらに、図６（ｃ）に示すように、綴じ部５０２とは反対側から綴じ部５０２に向かって延びてきて、直角に曲がってミシン目５１４に繋がるものであってもよい。
【００５４】
ただし、方向規制カット部が丸みを帯びた形状であれば、方向規制カット部が表面シート１０を貫通して形成されるものであることから、方向規制カット部を形成する際に、方向規制カット部を形成するための破断力が方向規制カット部全体に均一に加わり、確実に表面シート１０を貫通させることができ、形成ムラを発生しにくくすることができるとともに、見開き部１２を見開いた後において、ミシン目１３を破断しようとする力が表面シート１０を見開いていく方向に加わっていた場合に、その力を、方向規制カット部の端部に向かいやすくさせることができる。また、方向規制カット部の端部が、本形態のＵ字カット部１３ｃのように、綴じ部２から離れる方向において、表面シート１０、裏面シート２０及び中間シート３０ａ〜３０ｃの綴じ部２となる一辺が延びる方向に直交する方向に向いていれば、見開き部１２を見開いた後において、ミシン目１３を破断しようとする力が表面シート１０を見開いていく方向に加わっていた場合に、その力が綴じ部２とは反対方向に向かうこととなり、綴じ部２にて本来破断させるべきではない部分がさらに破断しにくくなる。特に、本形態の開封冊子１のように、見開き部１２を見開いた際に綴じ部２に沿って折り目をつけるためにミシン目１４が設けられているものにおいては、見開き部１２を見開いた後において、表面シート１０がミシン目１４に沿って破断してしまう虞れがあるが、方向規制カット部の端部が、Ｕ字カット部１３ｃのように、綴じ部２から離れる方向において、表面シート１０、裏面シート２０及び中間シート３０ａ〜３０ｃの綴じ部２となる一辺が延びる方向に直交する方向に向いていれば、見開き部１２を見開いた後、ミシン目１３を破断しようとする力が綴じ部２とは反対方向に向かうこととなり、表面シート１０がミシン目１４に沿って破断しにくくなる。
【００５５】
（第２の実施の形態）
図７は、本発明に開封冊子の第２の実施の形態を示す図であり、（ａ）は表面図、（ｂ）は（ａ）に示したＡ−Ａ’断面図、（ｃ）は開封された状態を示す図である。図８は、図７に示した開封冊子１０１の積層構造を示す図である。
【００５６】
本形態における開封冊子は図７に示すように、表面シート１１０と中間シート１３０と裏面シート１２０とが、それぞれの３辺が互いに重なり合うように積層され、そのうちの一辺が綴じ部１０２となって接着剤１４１を用いた接着により綴じられて構成されている。表面シート１１０と中間シート１３０と裏面シート１２０とは、綴じ部１０２に直交する方向の幅が互いに異なっており、表面シート１１０の幅が最も狭く、裏面シート１２０の幅が最も広くなっている。それにより、綴じ部１０２となる辺が重なり合うように、裏面シート１２０上に中間シート１３０を積層し、中間シート１３０上に表面シート１１０を積層した場合、綴じ部１０２とは反対側の辺において中間シート１３０及び裏面シート１２０の一部が表出した段差を有するものとなっている。また、表面シート１１０の綴じ部１０２以外の３周辺は、接着後の剥離が可能な剥離性接着剤１４３によって中間シート１３０に剥離可能に接着され、中間シート１３０の綴じ部１０２以外の３周辺は、剥離性接着剤１４３によって裏面シート１２０に剥離可能に接着されている。これにより、表面シート１１０と中間シート１３０とは、綴じ部１０２以外の一部にて剥離可能に接着され、中間シート１３０と裏面シート１２０とは、綴じ部１０２以外の領域の一部にて剥離可能に接着されている。そして、表面シート１１０が中間シート１３０から剥離される場合は、表面シート１１０が剥離片となるとともに、中間シート１３０が被剥離片となる。また、中間シート１３０が裏面シート１２０から剥離される場合は、中間シート１３０が剥離片となるとともに、裏面シート１２０が被剥離片となる。また、表面シート１１０が剥離片となる場合は、表面シート１１０の綴じ部１０２以外の領域が見開き部１１２となり、中間シート１３０が剥離片となる場合は、中間シート１３０の綴じ部１０２以外の領域が見開き部１３２（図９参照）となる。なお、表面シート１１０と中間シート１３０、中間シート１３０と裏面シート１２０とは、綴じ部１０２以外の領域の全面にて剥離可能に接着されていてもよい。
【００５７】
表面シート１１０は、見開き部１１２と綴じ部１０２との境界に、表面シート１１０が中間シート１３０から剥離される際の方向を規制するための方向規制カット部が形成されており、その形状はＵ字状のＵ字カット部１１３となっている。この方向規制カット部は、表面シート１１０が中間シート１３０から剥離される際の、綴じ部１０２との境界の形状を変化させることにより形成されている。Ｕ字カット部１１３は、見開き部１１２と綴じ部１０２との境界において、表面シート１１０の、綴じ部１０２との境界に交差する２つの端辺のうち、開封開始部１１５を含む側の端辺からまず綴じ部１０２に近づく方向に延び、その後、丸みを帯びて綴じ部１０２とは反対側に延び、その端部が綴じ部１０２とは反対側に向いている。すなわち、Ｕ字カット部１３ｃは、その端部が、綴じ部１０２から離れる方向において、表面シート１１０及び中間シート１３０の綴じ部１０２となる一辺が延びる方向に直交する方向に向いている。また、表面シート１１０には、綴じ部１０２とは反対側の辺の１つの角部が開封開始部１１５となり、開封冊子１０１の開封開始を指示する情報が表示されている。これにより、Ｕ字カット部１１３ｃは、見開き部１１２と綴じ部１０２との境界に、表面シート１１０のその境界に交差する一端辺から延び、その端部が、その一端辺の表面シート１１０の綴じ部１０２となる一辺から離れる方向に対して９０度以下の方向を向いたものとなっている。
【００５８】
以下に、上記のように構成された開封冊子１０１の使用方法について説明する。
【００５９】
図９は、図７及び図８に示した開封冊子１０１の使用方法を説明するための図である。
【００６０】
図７及び図８に示した開封冊子１０１を開封する場合は、図９（ａ）に示すように、開封開始部１１５を上方に引き上げたり表面シート１１０の対角方向に引っ張ったりすることにより、表面シート１１０を中間シート１３０から剥離していく。表面シート１１０の綴じ部１０２以外の３周辺は、接着後の剥離が可能な剥離性接着剤１４３によって中間シート１３０に剥離可能に接着されているため、綴じ部１０２以外の見開き部１１２においては、中間シート１３０から剥離することができる。
【００６１】
そして、表面シート１１０が中間シート１３０から剥離された領域が、見開き部１１２と綴じ部１０２との境界に達すると、図９（ｂ）に示すように、表面シート１１０の見開き部１１２が完全に中間シート１３０から剥離されることによって開封され、表面シート１１０の中間シート１３０との対向面や、中間シート１３０の表面シート１１０との対向面に表示された情報が閲覧可能となる。
【００６２】
また、中間シート１３０は、綴じ部１０２以外の３周辺が、接着後の剥離が可能な剥離性接着剤１４３によって裏面シート１２０に剥離可能に接着されているため、図９（ｃ）に示すように、表面シート１１０を見開いた後、中間シート１３０の見開き部１３２を裏面シート１２０から剥離していき、綴じ部１０２を中心として中間シート１３０を見開くことができ、それにより、中間シート１３０の裏面シート１２０との対向面や、裏面シート１２０の中間シート１３０との対向面に表示された情報が閲覧可能となる。
【００６３】
ここで、Ｕ字カット部１１３ｃによる効果について説明する。
【００６４】
図１０は、図７及び図８に示した開封冊子１０１におけるＵ字カット部１１３ａによる効果を説明するための図である。
【００６５】
図７及び図８に示した開封冊子１０１を開封する場合は、上述したように、開封開始部１１５を剥離開始端として中間シート１３０から表面シート１１０の見開き部１１２を剥離していき、図１０（ａ）に示すように、綴じ部１０２を中心として表面シート１１０を見開いていく。
【００６６】
表面シート１１０の見開き部１１２が中間シート１３０から剥離していき、表面シート１１０が中間シート１３０から剥離された領域が、表面シート１１０の見開き部１１２と綴じ部１０２との境界に達すると、その境界となる領域には、表面シート１１０の、綴じ部１０２との境界に交差する２つの端辺のうち、開封開始部１１５を含む側の端辺からまず綴じ部１０２に近づく方向に延び、その後丸みを帯びて綴じ部１０２とは反対側に延び、その端部が綴じ部１０２とは反対側に向いているＵ字カット部１１３が形成されていることにより、図１０（ｂ）に示すように、表面シート１１０を剥離しようとする力が表面シート１１０を見開いていく方向に引き続き加わっていたとしても、その力が、表面シート１１０を見開いていく方向とは反対側の図中Ａ方向に分散されることになる。
【００６７】
これにより、図１０（ｃ）に示すように、綴じ部１０２を破断しにくくすることができる。
【００６８】
なお、本形態においては、表面シート１１０の、見開き部１１２と綴じ部１０２との境界に交差する２つの端辺のうち、開封開始部１１５を含む側の端辺からＵ字カット部１１３が延びている。これは、開封開始部１１５から表面シート１１０を剥離していった場合、表面シート１１０が中間シート１３０から剥離された領域が、表面シート１１０の、見開き部１１２と綴じ部１０２との境界に交差する２つの端辺における綴じ部１０２との境界のうち、開封開始部１１５を含む側の端辺における綴じ部１０２との境界に先に達することにより、その端辺における綴じ部１０２との境界に、表面シート１１０を中間シート１３０から剥離しようとする力が加わるためである。逆に言えば、開封開始部１１５は、表面シート１１０の、見開き部１１２と綴じ部１０２との境界に交差する２つの端辺のうち、Ｕ字カット部１１３を含む端辺上の角部に設定すればよいことになる。
【００６９】
また、本形態においては、方向規制カット部として、表面シート１１０の見開き部１１２と綴じ部１０２との境界において、表面シート１１０の端辺からまず綴じ部１０２に近づく方向に延び、その後丸みを帯びて綴じ部１０２とは反対側に延び、その端部が綴じ部１０２とは反対側に向いているＵ字カット部１１３を例に挙げて説明したが、第１の実施の形態にて示したものと同様に、表面シート１１０の端辺からまず綴じ部１０２に近づく方向に延び、その後、弧を描いて綴じ部１０２が延びる方向に向かうものであってもよく、また、これらを丸みを帯びない形状として構成とてもよい。いずれにしても、方向規制カット部の端部が、方向規制カット部が延びてきた表面シート１１０の一端辺の、表面シート１１０の綴じ部１０２となる一辺から離れる方向に対して９０度以下の方向を向いていれば、上述した効果を得ることができる。ただし、方向規制カット部が丸みを帯びた形状であれば、方向規制カット部が表面シート１１０を貫通して形成されるものであることから、方向規制カット部を形成する際に、方向規制カット部を形成するための破断力が方向規制カット部全体に均一に加わり、確実に表面シート１１０を貫通させることができ、形成ムラを発生しにくくすることができるとともに、表面シート１１０を見開いた後において、表面シート１１０を剥離しようとする力が表面シート１１０を見開いていく方向に加わっていた場合に、その力を、方向規制カット部の端部に向かいやすくさせることができる。また、方向規制カット部の端部が、本形態のＵ字カット部１１３のように、綴じ部１０２から離れる方向において、表面シート１１０、中間シート１３０及び裏面シート１２０の綴じ部１０２となる一辺が延びる方向に直交する方向に向いていれば、表面シート１１０を見開いた後において、表面シート１１０を剥離しようとする力が表面シート１１０を見開いていく方向に加わっていた場合に、その力が綴じ部１０２とは反対方向に向かうこととなり、綴じ部１０２がさらに破断しにくくなる。
【００７０】
また、中間シート１３０においても、表面シート１１０と同様の位置にＵ字カット部１１３を形成しておけば、中間シート１３０が剥離片、裏面シート１２０が被剥離片となって、中間シート１３０が裏面シート１２０から剥離される場合に、中間シート１３０の綴じ部１０２が破断してしまうことを回避できることになる。
【００７１】
また、中間シートの数は、上述した２枚や３枚に限らない。
【符号の説明】
【００７２】
１，１０１    開封冊子
２，１０２，３０２，４０２，５０２    綴じ部
３    接合部
１０，１１０    表面シート
１１，３１１，４１１，５１１    貼着部
１２，１１２，１３２，３１２，４１２，５１２    見開き部
１３，１４，３１３，３１４，４１３，４１４，５１３，５１４    ミシン目
１３ａ    カット部
１３ｂ    タイ部
１３ｃ，１１３    Ｕ字カット部
１５，１１５    開封開始部
１６ａ，１６ｂ，３１６ａ，３１６ｂ，４１６ａ，４１６ｂ，５１６ａ，５１６ｂ    端部
２０，１２０    裏面シート
３０ａ〜３０ｃ，１３０    中間シート
４１，４２，１４１    接着剤
１４３    剥離性接着剤
３１３ｃ，４１３ｃ，５１３ｃ    方向規制カット部
【図１】
0006457809.tif 000002
【図２】
0006457809.tif 000003
【図３】
0006457809.tif 000004
【図４】
0006457809.tif 000005
【図５】
0006457809.tif 000006
【図６】
0006457809.tif 000007
【図７】
0006457809.tif 000008
【図８】
0006457809.tif 000009
【図９】
0006457809.tif 000010
【図１０】
0006457809.tif 000011
【図１１】
0006457809.tif 000012
【図１２】
0006457809.tif 000013